(57)【特許請求の範囲】
【請求項１】
処理すべき紙幣を受け入れるホッパと、該ホッパに受け入れた紙幣を１枚毎に搬送路内に繰り出して搬送する繰出搬送部と、該繰出搬送部の下流側に設けられ、搬送される紙幣の金種識別及び計数を行う識別計数部と、該識別計数部の下流側に設けられ、前記識別計数部によって正常と判定識別された紙幣を集積させるスタッカとを備える紙幣識別計数機において、
識別計数処理の開始／停止を指示するための処理指示ボタンと計数結果の合計を承認するための承認ボタンとをペアで２組設け、前記計数結果を記憶するための記憶領域に２つの独立した記憶エリアを設けると共に、前記各記憶エリアを前記処理指示ボタン及び承認ボタンのペアに対応させて前記計数結果を対応する側の記憶エリアに格納し、
更に、前記紙幣識別計数機の占有状態を切り替えるための占有切替手段と、現在の占有状態を表示するための占有状態表示手段とを設けたことを特徴とする紙幣識別計数機。
【請求項２】
前記処理指示ボタンの押下によって前記紙幣識別計数機の占有状態を切り替えることを特徴とする請求の範囲第１項に記載の紙幣識別計数機。
【請求項３】
前記占有状態表示手段が、ＬＥＤランプである請求の範囲第１項又は２項に記載の紙幣識別計数機。
【発明の詳細な説明】
【技術分野】  本発明は紙幣をホッパに受け入れて受け入れた紙幣の金種を識別すると共に計数して、受け入れた紙幣の合計金額或いは金種毎の枚数を計算する紙幣識別計数機に関するもので、特に１台の機械に対し二人の操作者が扱える機能を持たせた紙幣識別計数機に関する。
【背景技術】  金種の混合した紙幣を一括してホッパに受け入れて、受け入れた紙幣を１枚ずつ繰り出して搬送し、その金種及び真贋を識別すると共に計数して、受け入れた正常な紙幣の合計金額或いは金種毎の枚数を計算し表示する紙幣識別計数機は従来より知られている（たとえば特開２００３−２９６８０１号公報参照）。
その一般的な構造及び動作について、図１を参照して説明する。図１は一般的な紙幣識別計数機の内部構造を示す縦断面図である。
ホッパ部１に載置された紙幣は繰り出しローラ５によって紙幣識別計数機の搬送路に送り込まれ、複数の搬送ローラ６によって搬送される。紙幣搬送途中において検知センサ７ａ及び７ｂを通り、紙幣識別センサ８において金種及び真贋が判定される。その後、検知センサ７ｃを通り、正常紙幣であれば回転している羽根車９の羽根の間に受け止められて、スタッカ部２に整列集積される。一方、前記紙幣識別センサで偽札と判定された場合は、ソレノイド１０が作動して分岐爪１１が下側に移動してリジェクト部３へと紙幣が送られる。なお、４は操作表示部であり、紙幣識別計数処理を行う際の種々の設定を行うところである。
従来、銀行などの窓口で使用される紙幣入金処理機は、二人のテラー（窓口係員）の間に設置されて共用されるものがあり、それぞれ両側から上位機であるテラーズマシンを介しての操作が可能になっていた。
上記機械では、左右の二人のテラーにより順次ホッパに投入されるそれぞれの紙幣が混同されることなく計数・収納動作されることが必要であるから、一取引ごとに、始めから終わりまでをどちらか一方のテラーによる占有状態とする必要があった。
しかしながら、一取引が終了するまで一方のテラーの占有状態を続けると、何らかの理由で計数・収納動作が中断した場合であっても、他方のテラーはその機械を使用して計数・収納動作を行うことができなかった。もし、他方のテラーがその機械を使用しようとすれば、中断している処理をリセットして、自分の占有状態に切り替えてから行わなければならず、初めに行ったテラーの処理が無駄になってしまうからである。
このため、作業効率の面で問題があった。このような事情を考慮して、１台の機械を二人のテラーが扱える機能を有した紙幣入金処理機が提案されている（例えば特公平７−１１８０３２号公報参照。）。
上記公報で示される紙幣入金処理機は、銀行のテラーによって共用されることに特化した機械であると共に、各テラーが各々専有するテラーズマシンの傘下に位置し、テラーズマシンによって占有状態を切り替えるものである。
しかしながら、従来の紙幣識別計数機においては、テラーズマシンのような上位機種からの指令によって占有を決定するものではなく、そもそも、一人で１台使用するというのが常識であったため、１台の機械を二人で共用できるような設計が為されていなかった。このため、紙幣識別計数機を扱う店舗や金融機関においては、操作者の数だけ紙幣識別計数機を導入する必要があり、設備投資の面からも問題があった。
【発明の開示】
【発明が解決しようとする課題】  本発明は、上述のような事情に鑑み為されたものであり、１台の機械に対して二人の操作者が共用可能な紙幣識別計数機を提供することにより、紙幣の識別計数作業の効率化を図るとともに、機械の導入のトータルコストの削減を図ることを目的とする。
【課題を解決するための手段】  本発明は１台の機械に対し二人の操作者が扱える機能を持たせた紙幣識別計数機に関するものであり、本発明の上記目的は、処理すべき紙幣を受け入れるホッパと、該ホッパに受け入れた紙幣を１枚毎に搬送路内に繰り出して搬送する繰出搬送部と、該繰出搬送部の下流側に設けられ、搬送される紙幣の金種識別及び計数を行う識別計数部と、該識別計数部の下流側に設けられ、前記識別計数部によって正常と判定識別された紙幣を集積させるスタッカとを備える紙幣識別計数機において、
識別計数処理の開始／停止を指示するための処理指示ボタンと計数結果の合計を承認するための承認ボタンとをペアで２組設け、前記計数結果を記憶するための記憶領域に２つの独立した記憶エリアを設けると共に、前記各記憶エリアを前記処理指示ボタン及び承認ボタンのペアに対応させて前記計数結果を対応する側の記憶エリアに格納し、更に、前記紙幣識別計数機の占有状態を切り替えるための占有切替手段と、現在の占有状態を表示するための占有状態表示手段とを設けることによって達成される。
また、本発明の上記目的は、前記処理指示ボタンの押下によって前記紙幣識別計数機の占有状態を切り替えることにより、効果的に達成される。
【図面の簡単な説明】  第１図は、一般的な紙幣識別計数機の内部構造を示す図である。第２図は、本願発明に係る紙幣識別計数機の外観を示す斜視図である。第３図は本願発明に係る紙幣識別計数機の操作表示部の実施例を示す図である。第４図は本発明に係る紙幣識別計数機の制御ブロック図の一部を示す図である。
【発明を実施するための最良の形態】  本発明は、１台の機械に対し二人の操作者が扱える機能を持たせた紙幣識別計数機に関する。すなわち、識別計数処理の開始／停止を指示するための処理指示ボタンと計数結果の合計を承認するための承認ボタンとをペアで２組設け、前記計数結果を記憶するための記憶領域に２つの独立した記憶エリアを設けると共に、前記各記憶エリアを前記処理指示ボタン及び承認ボタンのペアに対応させて前記計数結果を対応する側の記憶エリアに格納し、更に、前記紙幣識別計数機の占有状態を切り替えるための占有切替手段と、現在の占有状態を表示するための占有状態表示手段とを設けることにより、１台の機械に対し二人の操作者が扱えるようにしたものである。
以下、図面を参照して詳細に説明する。
第２図は、本願発明に係る紙幣識別計数機の外観を示す斜視図である。ホッパ部１から投入された紙幣が機械の内部で識別計数されてスタッカ部２に整列集積される。また、偽札や汚損などで処理不能となった紙幣はリジェクト部３に送られるようになっている。操作表示部４は種々の操作ボタンを有しており、ボタン操作により１台の機械を二人で共用できるように設定することができる。
第３図は操作表示部４の実施例を示すものである。中央に種々の表示を行う液晶パネル４０が配置され、ＳＴＡＲＴ／ＳＴＯＰキー４１、ＡＣＣＥＰＴキー４２、占有表示ＬＥＤ４３が一対ずつ左右に分かれて配置されている。また、点線で示したその他のキーは種々の操作の設定を行うものであるが、本発明とは直接関係がないので、説明は省略する。
このように、同じ機能を持つキー（４１、４２）が左右に分かれて配置されているので、二人の操作者の間にこの紙幣識別計数機を置けば、操作がしやすくなる。なお、前記占有表示ＬＥＤ４３Ｌ、４３Ｒは、現在どちらの側の操作者が機械を占有しているのかを示すものである。
第４図は、本発明に係る紙幣識別計数機の制御ブロック図の一部を示す図である。
処理指示ボタンＬ（４１Ｌ）及び処理指示ボタンＲ（４１Ｒ）は、第３図におけるＳＴＡＲＴ／ＳＴＯＰキー４１に相当し、承認ボタンＬ（４２Ｌ）及び承認ボタンＲ（４２Ｒ）は、第３図におけるＡＣＣＥＰＴキー４２に相当している。記憶エリアＬ（６０Ｌ）及び記憶エリアＲ（６０Ｒ）は、それぞれＬ、Ｒ側の操作者が識別計数処理を行った場合の計数結果の合計を記憶しておく記憶エリアである。これは制御部５０によって書き込まれる。このように、記憶エリアがＬとＲの二つに分かれているので、互いの計数結果には影響を受けない。
記憶エリア６０Ｌ、６０Ｒに記憶されている計数結果（合計金額）は、承認ボタン４２Ｌ又は４２Ｒを押すことによって、それぞれ外部のプリンタ８０Ｌ若しくは８０Ｒ、又はパーソナルコンピュータ（ＰＣ）に出力することができる。なお、プリンタ又はＰＣとの接続はインタフェース（Ｉ／Ｆ）７０を介して行われる。
この紙幣識別計数機は、二人で共用する設定（双頭設定）になっている場合は、電源投入時は、例えばＲ側の占有になるようにしている。すなわち、Ｒ側の占有表示ＬＥＤ４３Ｒが点灯するようになっている。もし、Ｌ側の操作者が使用したい場合は、待機中に処理指示ボタンＬ（４１Ｌ）を押せば、Ｌ側の占有に切り替えることができる。そのときはＬ側の占有表示ＬＥＤ４３Ｌが点灯することになる。
なお、本願発明に係る紙幣識別計数機は、１台の機械に対し二人の操作者が扱えるように、ＳＴＡＲＴ／ＳＴＯＰキー４１及びＡＣＣＥＰＴキー４２を左右に一対ずつ配している。従って、本機を単独で使用する設定（単頭設定）にした場合は、左右どちらのキーも同時に有効となるので、操作者は自分の利き腕に合わせて好きな方のキーを操作することができ、使い勝手がさらに向上する。
【表１】
0004681561.tif 000002
表１は本発明に係る紙幣識別計数機の運用態様のパターンを表に表したものである。この表に基づいて各態様について説明する。この表において、オンラインというのは、第４図におけるＩ／Ｆ７０にコンピュータ（ＰＣを含む）接続した場合のことであり、コンピュータが接続されていなければオフラインとなる。また、プリンタ設定ＯＦＦとはプリンタが接続されていないことを意味する。
（１）オフライン、単頭設定、プリンタ接続なし
Ｌ，Ｒキーはどちらも有効であり、合計金額はＲ側に記憶される。
また、占有表示ＬＥＤは二つとも点灯する。
（２）オフライン、単頭設定、プリンタは１台接続（接続は自動検出）
Ｌ，Ｒキーはどちらも有効であり、合計金額はＲ側に記憶される。
また、占有表示ＬＥＤは二つとも点灯する。いずれかのＡＣＣＥＰＴキー４２を押すと計数結果が印字される。
（３）オフライン、双頭設定、プリンタ接続なし
デフォルトではＲ側のＬＥＤが点灯し、Ｌ側は消えている。待機中にＬ側のＳＴＡＲＴ／ＳＴＯＰキー４１Ｌを押すと、Ｌ側に占有が切り替わり、Ｌ側のＬＥＤが点灯するとともに、Ｒ側が消える。計数結果は、Ｌ，Ｒ別々に記憶される。
（４）オフライン、双頭設定、プリンタ１台接続（接続は自動検出）
基本的には（３）と同じ。ＡＣＣＥＰＴキー４２Ｌ又は４２Ｒを押すと計数結果が１台のプリンタに印字される。
（５）オフライン、双頭設定、プリンタ２台接続
基本的には（３）と同じ。ＡＣＣＥＰＴキー４２Ｌ又は４２Ｒを押すと計数結果がそれぞれ別々のプリンタに印字される。
（６）オンライン（Ｒ側のみ）、双頭設定、プリンタ接続なし
デフォルトではＲ側のＬＥＤが点滅し、Ｌ側は消えている。待機中にＬ側のＳＴＡＲＴ／ＳＴＯＰキー４１Ｌを２秒以上押すと、Ｌ側に占有が切り替わり、Ｌ側のＬＥＤが点灯するとともに、Ｒ側が消える。計数結果は、Ｌ，Ｒ別々に記憶される。さらに、待機中にＲ側のＳＴＡＲＴ／ＳＴＯＰキー４１Ｒを２秒以上押すか、或いはＰＣによるリモート制御占有切り替えによって、Ｒ側に占有が切り替わり、Ｒ側はオンライン設定に戻る。
（７）オンライン（Ｒ側のみ）、双頭設定、プリンタ接続（Ｌ側のみ）
デフォルトではＲ側のＬＥＤが点滅し、Ｌ側は消えている。待機中にＬ側のＳＴＡＲＴ／ＳＴＯＰキー４１Ｌを２秒以上押すと、Ｌ側に占有が切り替わり、Ｌ側のＬＥＤが点灯するとともに、Ｒ側が消える。計数結果は、Ｌ，Ｒ別々に記憶される。ＡＣＣＥＰＴキー４２Ｌを押すと計数結果がＬ側のプリンタに印字される。
さらに、待機中にＲ側のＳＴＡＲＴ／ＳＴＯＰキー４１Ｒを２秒以上押すか、或いはＰＣによるリモート制御占有切り替えによって、Ｒ側に占有が切り替わり、Ｒ側はオンライン設定に戻る。
（８）オンライン、双頭設定、プリンタ接続なし
デフォルトではＲ側のＬＥＤが点滅し、Ｌ側は消えている。待機中にＬ側のＳＴＡＲＴ／ＳＴＯＰキー４１Ｌを押すか、或いはＰＣによるリモート制御占有切り替えによって、Ｌ側に占有が切り替わり、Ｌ側のＬＥＤが点滅するとともに、Ｒ側が消える。計数結果は、Ｌ，Ｒ別々に記憶される。
（９）オンライン、単頭設定、プリンタ接続なし
Ｌ，Ｒキーはどちらも無効であり、接続されたＰＣによってリモート制御される。合計金額はＲ側に記憶される。
また、占有表示ＬＥＤは二つとも点滅する。
上述のように、本発明に係る紙幣識別計数機では処理指示ボタンを２つ設け、各々に対応させた記憶エリアを設けたことにより、各操作者毎の処理結果を保持できるので、同時に操作することはできないが、それ以外の面ではあたかも２台の機械のように使用することができるので、コストパフォーマンス的には優れている。
以上、実施例を基にして本発明を説明したが、本発明の技術的特徴は請求の範囲に記載したとおりであり、本実施例に限定されるものではなく、種々の変更が可能である。
【図１】
0004681561.tif 000003
【図２】
0004681561.tif 000004
【図３】
0004681561.tif 000005
【図４】
0004681561.tif 000006